(57)【特許請求の範囲】
【請求項１】
外部から入力された変調信号の周波数を中間周波数に変換する周波数変換部と、
前記周波数変換部から出力される変調信号を受けて、指定された分解能で定まるバンド幅で周波数成分を制限するＲＢＷフィルタと、
前記ＲＢＷフィルタで帯域制限された変調信号を、周波数解析するためにデジタルのレベル信号に変換するレベル変換器と、
前記ＲＢＷフィルタで帯域制限される前の変調信号及び前記ＲＢＷフィルタで帯域制限された変調信号のいずれか一方の変調信号を選択する信号選択回路と、
前記信号選択回路で選択された変調信号を受けて、デジタル信号に変換するＡ／Ｄ変換器と、
前記変調信号に対する周波数解析指示、前記変調信号に対する変調解析指示、及び前記変調信号の変調種別を操作入力するための操作入力部と、
前記レベル変換器から出力されたレベル信号が入力されたときは周波数解析を行い、前記Ａ／Ｄ変換器で変換されたデジタル信号が入力されたときは変調解析を行う解析演算部と、
前記操作入力部を介して操作入力された解析指示の実行を前記解析演算部へ指示し、操作入力された変調信号の変調種別に応じた選択指示を前記信号選択回路へ送出すると共に、前記Ａ／Ｄ変換器に入力される変調信号として前記ＲＢＷフィルタで帯域制限された後の変調信号が選択された場合であって、かつ、前記変調信号に対する変調解析指示が前記操作入力部に入力された場合には、前記ＲＢＷフィルタのバンド幅を前記変調信号の変調種別に応じて設定する制御部と、
を備える変調信号解析装置。
【請求項２】
前記制御部は、
前記操作入力部から使用帯域幅が狭い変調種別が入力された場合に、前記信号選択回路へ前記ＲＢＷフィルタで帯域制限された後の変調信号の選択指示を送出することを特徴とする請求項１に記載の変調信号解析装置。
【請求項３】
前記制御部は、
前記操作入力部から使用帯域幅が広い変調種別が入力された場合に、前記信号選択回路へ前記ＲＢＷフィルタで帯域制限される前の変調信号の選択指示を送出することを特徴とする請求項１に記載の変調信号解析装置。
【請求項４】
前記操作入力部から使用帯域幅が狭い変調種別としてＰＤＣ又はＰＨＳが入力されることを特徴とする請求項２に記載の変調信号解析装置。
【請求項５】
前記制御部には、
前記操作入力部から使用帯域幅が広い変調種別としてＣＤＭＡ又はＷ−ＣＤＭＡが入力されることを特徴とする請求項３に記載の変調信号解析装置。
【請求項６】
前記制御部は、
前記操作入力部から入力された変調種別に応じた選択指示を前記信号選択回路へ送出する変調種別設定部と、
前記操作入力部から測定項目が入力された場合に、前記解析演算部へ該当する測定項目に対応する特性を算出するための実行指示を送出する測定項目設定部と、
を備えたことを特徴とする請求項１に記載の変調信号解析装置。
【請求項７】
前記操作入力部は、
前記外部から入力された変調信号に応じて、所望の測定を実行させる場合に、所望の測定項目を選択するための測定項目選択ボタンと、
前記外部から入力された変調信号の変調種別を選択するための変調種別選択ボタンと、
を備えたことを特徴とする請求項１に記載の変調信号解析装置。
【請求項８】
前記変調種別選択ボタンは、
ＰＤＣ選択ボタンと、
ＰＨＳ選択ボタンと、
ＣＤＭＡ選択ボタンと、
Ｗ−ＣＤＭＡ選択ボタンと、
を備えたことを特徴とする請求項７に記載の変調信号解析装置。
【請求項９】
前記解析演算部は、周波数解析を実施するための
送信電力特性算出部と、
隣接チャネル漏洩電力算出部と、
スプリアス特性算出部と、
を備えたことを特徴とする請求項１に記載の変調信号解析装置。
【請求項１０】
前記解析演算部は、変調解析を実施するための
変調度算出部と、
変調精度算出部と、
を備えたことを特徴とする請求項１に記載の変調信号解析装置。
【発明の詳細な説明】
【０００１】
【技術分野】
本発明は変調信号解析装置に係り、特に、移動体通信システムを含む各種の通信システムで使用されている各種の変調信号を解析する変調信号解析装置に関する。
【０００２】
【背景技術】
一般に、世界における各種の携帯電話や自動車電話及び日本における簡易型携帯電話ＰＨＳ（Ｐｅｒｓｏｎａｌ  Ｈａｎｄｙｐｈｏｎｅ  Ｓｙｓｔｅｍ）等の移動体通信システムが知られている。
【０００３】
これらの移動体通信システムにおいて、その基地局と移動局（携帯端末）との間で送受信される変調信号の各種の特性を測定・解析することにより、その特性が予め定められた規格の許容範囲に入っていることを確認することは非常に重要なことである。
【０００４】
このような変調信号の測定・解析には、大きく分けて、周波数解析と変調解析とがある。
【０００５】
まず、周波数解析としては、変調信号の占有周波数範囲、各周波数における送信電力、隣接チャネル漏洩電力、スプリアス特性等がある。
【０００６】
また、変調解析としては、変調信号の変調方式によって異なるが、変調度や変調精度等がある。
【０００７】
図２は、このように変調信号に対する周波数解析と変調解析とを実施することができる従来の変調信号解析装置の構成を示している。
【０００８】
すなわち、図２に示すように、入力端子１から入力された変調信号ａは、周波数掃引部２の乗算部（ミキサ）２ａへ入力される。
【０００９】
この乗算部２ａには、掃引発振器２ｂから掃引周波数信号ｂが印加される。
【００１０】
そして、周波数掃引部２から出力された変調信号はバンドパスフィルタ（ＢＰＦ）３で帯域制限された後、周波数変換部４の乗算部（ミキサ）４ａへ入力される。
【００１１】
この乗算部４ａには、局部発振器４ｂから局部発振信号が印加されている。
【００１２】
したがって、周波数変換部４は、ＢＰＦ３から出力された変調信号の中心周波数ｆC を中間周波数ｆI に変換する。
【００１３】
そして、周波数変換部４で中心周波数ｆC が中間周波数ｆI に変換された変調信号ａ1 は、分解能バンド幅（ＲＢＷ）フィルタ５へ入力される。
【００１４】
ここで、ＲＢＷフィルタ５は、図６の周波数特性図に示すように、解析対象の変調信号における周波数成分を設定された分解能で定まるバンド幅（分解能バンド幅）ＲＢＷで制御する。
【００１５】
この分解能バンド幅ＲＢＷは、周波数変換部４の中間周波数ｆI に等しい中心周波数ｆC を中心に設定されている。
【００１６】
このようにして、変調信号ａ1 は、ＲＢＷフィルタ５で周波数成分が数帯域制限された後、対数（ＬＯＧ）変換器６で対数変換されることにより、周波数を時間軸（横軸）とするデシベル（ｄＢ）単位のレベル信号ｄとなる。
【００１７】
このＬＯＧ変換器６から出力されたレベル信号ｄは、ビデオバンド幅（ＶＢＷ）フィルタ７へ入力される。
【００１８】
このＶＢＷフィルタ７は、周波数を時間軸（横軸）とするレベル信号ｄに含まれる雑音を除去する。
【００１９】
そして、ＶＢＷフィルタ７によって雑音が除去されたレベル信号ｄは、アナログ／デジタル（Ａ／Ｄ）変換器８でデジタルのレベル信号ｄ1 に変換された後、切換部９へ入力される。
【００２０】
一方、周波数変換部４で中心周波数ｆC が中間周波数ｆI に変換された変調信号ａ1 、すなわち、ＲＢＷフィルタ５で周波数成分が数帯域制限される前の変調信号ａ1 は、そのままＡ／Ｄ変換器１１でデジタルの変調信号ａ2 に変換された後、前記切換部９へ入力される。
【００２１】
この切換部９は、入力されたレベル信号ｄ1 と変調信号ａ2 とのうち、制御部１０から指定された一方の信号を波形メモリ１１へ送出する。
【００２２】
この波形メモリ１１は、入力されたレベル信号ｄ1 又は変調信号ａ2 を記憶保持する。
【００２３】
そして、解析演算部１２は、波形メモリ１１にデジタルのレベル信号ｄ1 が記憶されていた場合、このデジタルのレベル信号ｄ1 を用いて周波数解析を実施する。
【００２４】
また、解析演算部１２は、波形メモリ１１にデジタルの変調信号ａ2 が記憶されていた場合、このデジタルの変調信号ａ2 を用いて変調解析を実施する。
【００２５】
したがって、解析演算部１２内には、周波数解析を実施するための送信電力特性算出部１３ａ、隣接チャネル漏洩電力算出部１３ｂ、スプリアス特性算出部１３ｃ等が設けられている。
【００２６】
さらに、この解析演算部１２内には、変調解析を実施するための変調度算出部１４ａ、変調精度算出部１４ｂ等が設けられている。
【００２７】
この解析演算部１２の各算出部１３ａ、１３ｂ、１３ｃ、１４ａ、１４ｂにおける特性の算出結果は表示器１５に表示される。
【００２８】
また、操作入力部１６は、測定者（操作者）が上述した各種の測定項目や測定条件を制御部１０へ入力する機能を有している。
【００２９】
そして、制御部１０は、操作入力部１６を介して入力された測定（解析）項目に応じて切換部９を切換制御すると共に、周波数掃引部２の掃引動作を制御する。
【００３０】
また、制御部１０は、解析演算部１２の各演算部１３ａ、１３ｂ、１３ｃ、１４ａ、１４ｂを選択して起動させる。
【００３１】
また、制御部１０は、必要に応じて、ＲＢＷフィルタ５のバンド幅ＲＢＷを変更する。
【００３２】
このような構成の変調信号解析装置において、ＲＢＷフィルタ５における図６に示した通過帯域幅（分解能バンド幅）ＲＢＷは、図３Ａ、図３Ｂに示すように、変調信号を周波数解析する場合における周波数分解能を示している。
【００３３】
ここで、図３Ａは、ＶＢＷフィルタ７への入力前のレベル信号ｄの波形を示している。
【００３４】
また、図３Ｂは、ＶＢＷフィルタ７から出力後のレベル信号ｄの波形を示している。
【００３５】
このように、ＶＢＷフィルタ７は、レベル信号ｄに含まれる高周波の雑音を除去する。
【００３６】
図４Ａは、解析演算部１２の送信電力特性算出部１３ａで得られた各チャネル（ｎ−１）、ｎ、（ｎ＋１）の送信電力レベルと、解析演算部１２の隣接チャネル漏洩電力算出部１３ｂで得られた各チャネル（ｎ−１）、ｎ、（ｎ＋１）の隣接チャネルに対する漏洩電力とを示している。
【００３７】
また、図４Ｂは、解析演算部１２のスプリアス特性算出部１３ｃで得られたスプリアス特性を示している。
【００３８】
図５は、解析演算部１２の変調精度算出部１４ｂで得られる変調精度を示している。
【００３９】
この図５に示す例では、解析対象の変調信号として、π／４ＱＰＳＫ（Ｑｕａｄｒａｔｕｒｅ  Ｐｈａｓｅ  Ｓｈｉｆｔ  Ｋｅｙｉｎｇ）変調信号が用いられている。
【００４０】
この場合、Ｉ（同相成分）・Ｑ（直交成分）座標系における測定されたシンボル位置Ｐの振幅Ａ及び位相θの、基準シンボル位置ＰS の振幅ＡS 及び位相θS との間の振幅誤差（ＡS ―Ａ）、位相誤差α（＝θS ―θ）が求められる。
【００４１】
図４Ａ及び図４Ｂに示すように、入力された変調信号ａに対して周波数解析を実施するためには、変調信号ａ1 を、周波数を時間軸（横軸）とするレベル信号ｄに変換する必要がある。
【００４２】
一方、図５に示すように、入力された変調信号ａに対して変調解析を実施するためには、直接、変調信号ａ1 を波形解析して、この変調信号ａ1 に含まれるベースバンド信号成分Ｉ、Ｑを算出する必要があるので、レベル信号ｄに変換する前の変調信号ａ1 を用いる必要がある。
【００４３】
また、変調解析を実施するためには、変調信号ａ1 における帯域幅（バンド幅）内における各周波数における各信号レベル（振幅）はほぼ一定であるのが望ましい。
【００４４】
したがって、測定者（操作者）は、入力された変調信号ａに対して周波数解析を実施する場合、操作入力部１６を操作して、切換部９でデジタルのレベル信号ｄ1 を選択する。
【００４５】
また、測定者（操作者）は、入力された変調信号ａに対して変調解析を実施する場合、操作入力部１６を操作して、切換部９でデジタルの変調信号ａ2 を選択するとともに、周波数掃引部２の掃引動作を停止させる。
【００４６】
このように、簡単な信号切換手段を設けることによって、１台の変調信号解析装置で、入力された変調信号ａに対する周波数解析と変調解析とを実施することができる。
【００４７】
しかしながら、図２に示す変調信号解析装置においても、まだ解消すべき次のような課題があった。
【００４８】
すなわち、解析対象の変調信号ａの変調方式にもよるが、多チャネル多重化された変調信号ａは、中心周波数ｆC （＝中間周波数ｆI ）を中心として、所定の帯域幅（バンド幅）を有している。
【００４９】
したがって、この変調信号ａに対する変調解析を実施する場合、この変調信号ａに対する過度の帯域制限を実施すると、この変調信号から正確に各ベースバンド信号Ｉ，Ｑを復調できないので、図５に示したような変調精度を正確に測定することができない。
【００５０】
このような、事態になることを未然に防止するために、従来では、周波数変換部４から出力された中心周波数ｆC が中間周波数ｆI に固定された変調信号ａ1 に対して固定帯域幅で帯域制限した後、変調解析を実施するようにしている。
【００５１】
しかしながら、例えば、携帯電話等の移動体通信システムにおいては、基地局と各移動局（携帯端末）との間で送受信される変調信号の変調方式には、種々の変調方式が開発され、かつその一部は実施されている。
【００５２】
これらの各変調方式毎に、使用する帯域幅（バンド幅ＢＷ）が大きく異なる。
【００５３】
例えば、図６に示すように、日本における通常のデジタル電話（ＰＤＣ：Ｐｅｒｓｏｎａｌ  Ｄｉｇｉｔａｌ  Ｃｅｌｌｕｌａｒ）においては使用する帯域幅（バンド幅ＢＷ）は、３０ｋHzである。
【００５４】
また、上述のＰＨＳや欧州におけるＧＭＳ（Ｇｌｏｂａｌ  Ｓｙｓｔｅｍ  ｆｏｒ  Ｍｏｂｉｌｅ  Ｃｏｍｍｕｎｉｃａｔｉｏｎ）では３００ｋHzである。
【００５５】
さらに、スペクトラム拡散方式を用いて、１つの変調信号に含まれるチャネル数を飛躍的の増大させるようにしたＣＤＭＡ（Ｃｏｄｅ  Ｄｉｖｉｓｉｏｎ  Ｍｕｌｔｉｐｌｅ  Ａｃｃｅｓｓ）では１．５ＭHzであり、Ｗ−ＣＤＭＡでは４ＭHz、８ＭHz、１６ＭHz、…である。
【００５６】
このように、スペクトラム拡散方式を用いて、１つの変調信号に含まれるチャネル数を飛躍的の増大させるようにしたＣＤＭＡやＷ−ＣＤＭＡにおいては、使用する帯域幅（バンド幅ＢＷ）が飛躍的に増加する。
【００５７】
したがって、変調信号に対する通過帯域制御を実施するための帯域幅を一義的に定めることはできなかった。
【００５８】
また、変調解析を実施するために専用のフィルタを設けることは、変調信号解析装置の製造費が大幅に上昇する。
【００５９】
【発明の開示】
本発明の目的は、上記のような事情に鑑みてなされたものであり、解析対象の変調信号の変調種別に応じて変調解析にＲＢＷフィルタを選択的に使用することによって、簡単な構成で、種々の種別の変調信号に対して、周波数解析と変調解析とを高い精度で実施できる変調信号解析装置を提供することにある。
【００６０】
本発明の一態様によると、
外部から入力された変調信号（ａ）の周波数を中間周波数に変換する周波数変換部（４）と、
前記周波数変換部から出力される変調信号を受けて、指定された分解能で定まるバンド幅で周波数成分を制限するＲＢＷフィルタ（５）と、
前記ＲＢＷフィルタで帯域制限された変調信号を、周波数解析するためにデジタルのレベル信号（ｄ）に変換するレベル変換器（６）と、
前記ＲＢＷフィルタで帯域制限される前の変調信号（ａ１）及び前記ＲＢＷフィルタで帯域制限された後の変調信号（ａ３）のいずれか一方の変調信号を選択する信号選択回路（１７）と、
前記信号選択回路で選択された変調信号を受けて、デジタル信号に変換するＡ／Ｄ変換器（１１）と、
前記変調信号に対する周波数解析指示、前記変調信号に対する変調解析指示、及び前記変調信号の変調種別を操作入力するための操作入力部（１９）と、
前記レベル変換器から出力されたレベル信号が入力されたときは周波数解析を行い、前記Ａ／Ｄ変換器で変換されたデジタル信号が入力されたときは変調解析を行う解析演算部（１２）と、
前記操作入力部を介して操作入力された解析指示の実行を前記解析演算部へ指示し、操作入力された変調信号の変調種別に応じた選択指示を前記信号選択回路へ送出すると共に、前記Ａ／Ｄ変換器に入力される変調信号として前記ＲＢＷフィルタで帯域制限された変調信号が選択された場合であって、かつ、前記変調信号に対する変調解析指示が前記操作入力部に入力された場合には、前記ＲＢＷフィルタのバンド幅を前記変調信号の変調種別に応じて設定する制御部（１８）と、
を備える変調信号解析装置が提供される。
【００６１】
このように構成された変調信号解析装置においては、測定者（操作者）により、周波数解析を実施するのかあるいは変調解析を実施するのかが操作入力部で指定される。
【００６２】
ここで、変調解析が指定された場合には、そらに、変調信号の変調種別が操作入力される。
【００６３】
すると、変調信号の変調種別に応じて解析演算部へ入力される変調信号として、ＲＢＷフィルタで帯域制限された変調信号あるいはＲＢＷフィルタで帯域制限されない変調信号が自動的に選別される。
【００６４】
例えば、ＣＤＭＡ等の帯域幅（バンド幅）が広い変調信号の変調種別に対しては、ＲＢＷフィルタへ入力される前の変調信号が選択される。
【００６５】
また、ＰＤＣ等の帯域幅（バンド幅）が狭い変調信号の変調種別に対しては、ＲＢＷフィルタから出力された変調信号が選択される。
【００６６】
したがって、ＰＤＣ等の帯域幅（バンド幅）が狭い変調信号に対しては、帯域幅（バンド幅）を遠く外れた高周波及び低周波の雑音成分が除去され、変調解析精度が向上する。
【００６７】
一方、ＣＤＭＡ等の帯域幅（バンド幅）が広い変調信号に対しては、広い帯域幅（バンド幅）を有した状態で変調解析が実施されるので、変調解析精度が向上する。
【００６８】
【発明を実施するための最良の形態】
以下、本発明の一実施形態を図面を用いて説明する。
【００６９】
図１は、本発明の一実施形態に係る変調信号解析装置の概略構成を示すブロック図である。
【００７０】
図１において、図２に示した従来の変調信号解析装置と同一部分には同一符号を付して重複する部分の詳細説明を省略する。
【００７１】
本発明の一実施形態に係る変調信号解析装置においては、周波数変換部４から出力された中心周波数ｆC が周波数変換部４の中間周波数ｆI に設定された変調信号ａ1 は、ＲＢＷフィルタ５へ入力されると共に、信号選択回路１７の一方の入力端子ａへ入力される。
【００７２】
また、ＲＢＷフィルタ５で帯域幅がＲＢＷに制限された変調信信号ａ3 は、信号選択回路１７の他方の入力端子ｂへ入力される。
【００７３】
この信号選択回路１７は、制御部１８からの選択指令に基づいて、共通端子ｃをいずれか一方の変調信号ａ1 、ａ3 が入力される入力端子ａ、ｂへ切換接続する。
【００７４】
そして、この信号選択回路１７の共通端子ｃから出力されたいずれか一方の変調信号ａ1 、ａ3 は、Ａ／Ｄ変換器１１でデジタルの変調信号ａ4 に変換されて切換部９の一方の入力端子へ入力される。
【００７５】
この切換部９の他方の入力端子には、図２と同様に、Ａ／Ｄ変換器８から出力された周波数を時間軸（横軸）とするデジタルのレベル信号ｄ1 が入力される。
【００７６】
この切換部９は、制御部１８からの切換指令に基づいて、デジタルの変調信号ａ4 又はデジタルのレベル信号ｄ1 を波形メモリ１０へ書込むように切り換える。
【００７７】
また、周波数掃引部２、周波数変換部４、ＬＯＧ変換器６は、図２と同様に、ＲＢＷフィルタ５を通過した変調信号ａ3 をＬＯＧ変換し、周波数解析するために周波数を時間軸（横軸）とするレベル信号ｄに変換する変換回路を構成している。
【００７８】
また、解析演算部１２内には、図２と同様に、周波数解析を実施するための送信電力特性算出部１３ａ、隣接チャネル漏洩電力算出部１３ｂ、スプリアス特性算出部１３ｃ等が設けられている。
【００７９】
さらに、この解析演算部１２内には、変調解析を実施するための変調度算出部１４ａ、変調精度算出部１４ｂ等が設けられている。
【００８０】
この解析演算部１２の各算出部１３ａ、１３ｂ、１３ｃ、１４ａ、１４ｂにおける特性の算出結果は、表示器１５に表示される。
【００８１】
操作パネルの一部を構成する操作入力部１９には、送信電力測定、隣接チャネル漏洩電力測定、スプリアス測定、変調度測定、変調精度測定、…等の多数の測定項目ボタン２０と、ＰＤＣ、ＰＨＳ、ＣＤＭＡ、Ｗ−ＣＤＭＡ等の複数の変調種別ボタン２１が配設されている。
【００８２】
さらに、操作パネルには、表示器１５の表示画面１５ａが露出している。
【００８３】
この操作入力部１９は、測定者（操作者）が測定項目ボタン２０で指定した測定項目及び変調種別ボタン２１で指定した変調種別を制御部１８へ送出する。
【００８４】
ここで、制御部１８内には、測定項目設定部１８ａ及び変調種別設定部１８ｂが設けられている。
【００８５】
このうち、変調種別設定部１８ｂは、操作入力部１９からＰＤＣ又はＰＨＳ等の使用帯域幅（バンド幅）が狭い変調種別が入力されると、信号選択回路１７へ変調信号ａ3 の選択指令を送出する。
【００８６】
その結果、ＲＢＷフィルタ５から出力された変調信号ａ3 が、Ａ／Ｄ変換器１１でデジタルの変調信号ａ4 に変換されて切換部９へ入力される。
【００８７】
また、変調種別設定部１８ｂは、操作入力部１９からＣＤＭＡ又はＷ−ＣＤＭＡ等の使用帯域幅（バンド幅）が広い変調種別が入力されると、信号選択回路１７へ変調信号ａ1 の選択指令を送出する。
【００８８】
その結果、ＲＢＷフィルタ５へ入力される前の変調信号ａ1 が、Ａ／Ｄ変換器１１でデジタルの変調信号ａ4 に変換されて切換部９へ入力される。
【００８９】
さらに、変調種別設定部１８ｂは、操作入力部１９から指定された変調種別に対して予め指定されたＲＢＷをＲＢＷフィルタ５に設定する。
【００９０】
また、測定項目設定部１８ａは、操作入力部１９から送信電力測定、隣接チャネル漏洩電力測定、スプリアス測定等の周波数解析の各測定項目が入力されると、切換部９を切換制御して波形メモリ１０に対する入力をデジタルのレベル信号ｄ1 側に切り換えると共に、周波数掃引部２へ起動指令を送出する。
【００９１】
その後、測定項目設定部１８ａは、解析演算部１２へ該当測定項目に対応する算出部の実行指令を送出する。
【００９２】
また、測定項目設定部１８ａは、操作入力部１９から変調度測定、変調精度測定等の変調解析の各測定項目が入力されると、切換部９を切換制御して波形メモリ１０に対する入力をデジタルの変調信号ａ4 側に切り換えると共に、周波数掃引部２へ動作停止指令を送出する。
【００９３】
その後、測定項目設定部１８ａは、解析演算部１２へ該当測定項目に対応する算出部の実行指令を送出する。
【００９４】
このように構成された変調信号解析装置において、入力端子１から入力された変調信号ａに対して、各種の測定を実施する場合、測定者（操作者）は、操作入力部１９から測定項目を測定項目ボタン２０で選択し、変調種別を変調種別ボタン２１で選択する。
【００９５】
すると、制御部１８が、選択された測定項目及び変調種別から最適の測定条件を自動設定する。
【００９６】
具体的には、測定項目が周波数解析に所属する測定項目である場合、切換部９を介して取込んだ周波数を時間軸とするレベル信号ｄ1 を用いて、解析演算部１２において、選択された測定項目に対応する周波数解析を実施して、解析結果を表示器１５に表示出力する。
【００９７】
また、測定項目が変調解析に所属する測定項目である場合には、切換部９を介して取込んだデジタルの変調信号ａ4 を用いて、解析演算部１２において、選択された測定項目に対応する周波数解析を実施して、解析結果を表示器１５に表示出力する。
【００９８】
そして、変調種別が、使用帯域幅（バンド幅）が狭いＰＤＣ又はＰＨＳ等の場合、ＲＢＷフィルタ５で帯域制御された変調信号ａ3 をＡ／Ｄ変換したデジタルの変調信号ａ4 か用いられる。
【００９９】
したがって、この場合には、変調信号a における帯域幅（バンド幅）を遠く外れた高周波及び低周波の雑音成分が除去されるので、変調解析精度が向上する。
【０１００】
また、変調種別が、使用帯域幅（バンド幅）が広いＣＤＭＡ又はＷ−ＣＤＭＡ等の場合、ＲＢＷフィルタ５で帯域制御される前の変調信号ａ1 をＡ／Ｄ変換したデジタルの変調信号ａ4 が用いられる。
【０１０１】
したがって、この場合には、変調信号a における広い帯域幅（バンド幅）を有した状態で変調解析が実施されるので、変調解析精度が向上する。
【０１０２】
さらに、変調度測定や変調度測定等の変調解析を実施する場合には、解析対象の変調信号の変調種別に応じて、既に、この変調信号解析装置に組込まれているＲＢＷフィルタ５を選択的に使用している。
【０１０３】
したがって、図２に示した従来の変調信号解析装置に比較して製造費が大幅に上昇することはない。
【０１０４】
以上説明したように、本発明の変調信号解析装置では、変調度測定や変調精度測定等の変調解析を実施する場合に、解析対象の変調信号の変調種別に応じて、変調解析前にＲＢＷフィルタで帯域制限を実施するようにしている。
【０１０５】
したがって、本発明によれば、簡単な構成で、種々の種別の変調信号に対して、周波数解析と変調解析とを高い精度で実施することができる変調信号解析装置を提供することが可能となる。
【図面の簡単な説明】
【図１】図１は、本発明の一実施形態に係わる変調信号解析装置の概略構成を示すブロック図である。
【図２】図２は、従来の変調信号解析装置の概略構成を示すブロック図である。
【図３Ａ】図３Ａは、図２の変調信号解析装置におけるＬＯＧ変換器から出力されたレベル信号の信号波形を示す図である。
【図３Ｂ】図３Ｂは、図２の変調信号解析装置におけるＶＢＷフィルタから出力されたレベル信号の信号波形を示す図である。
【図４Ａ】図４Ａは、図２の変調信号解析装置で測定された送信電力特性を示す図である。
【図４Ｂ】図４Ｂは、図２の変調信号解析装置で測定されたスプリアス特性を示す図である。
【図５】図５は、図２の変調信号解析装置で測定された変調精度を示す図である。
【図６】図６は、図２の変調信号解析装置に組込まれたＲＢＷフィルタの周波数特性を示す図である。
【図１】
0003748225.tif 000002
【図２】
0003748225.tif 000003
【図３Ａ】
0003748225.tif 000004
【図３Ｂ】
0003748225.tif 000005
【図４Ａ】
0003748225.tif 000006
【図４Ｂ】
0003748225.tif 000007
【図５】
0003748225.tif 000008
【図６】
0003748225.tif 000009